(57)【要約】【課題】身頃や左右の袖を他の部位から独立させて個別に開放できるようにする。【解決手段】前身頃１に連結されるファスナーＦ１と、後身頃に連結されるファスナーＦ２と、袖３の袖下３１の位置に組み込まれるファスナーＦ３とによる三つ叉構造の連結部材５によって、前身頃１と後身頃２と袖３とが着脱自由に連結される。ファスナーＦ１，Ｆ２では、一方のテープＴ１Ａ，Ｔ２Ａがその全長を対応する身頃１，２の肩および袖ぐりならびに脇の各端縁に順に沿わせて当該身頃１，２に連結され、他方のテープＴ１Ｂ，Ｔ２Ｂの分岐部分が肩に対応する範囲で連結されると共に、袖ぐりに対応する範囲で対応する身頃の側の袖山３２に合わせられて袖３に連結される。ファスナーＦ１，Ｆ２，Ｆ３には、襟ぐり１０，２０または袖口３０の側の端縁から任意の位置までの範囲で２本のテープのかみ合わせを解除することが可能なスライダーが設けられる。【選択図】図５
2018178350.tif 000002
【特許請求の範囲】
【請求項１】
人体の上半身を覆う形の前身頃および後身頃と左右一対の袖とを備えた衣服であって、
前記一対の袖の各々には、当該袖の袖下を全長にわたって開閉可能に支持する袖用スライドファスナーが組み込まれると共に、各袖の袖下を含む所定範囲に脇の方へと延び出る延出部が一体に連ねられ、
前記前身頃および後身頃の少なくとも一方の両側縁部には、それぞれ襟ぐり付近から脇の所定位置までの範囲に対応する長さの身頃用スライドファスナーが当該範囲に合わせられた状態で連結され、これらの身頃用スライドファスナーを介して前記一対の袖および各袖の延出部が当該身頃用スライドファスナーが設けられた身頃に着脱可能に装着されると共に、各身頃の脇が前記延出部を介して連結される、
ことを特徴とする衣服。
【請求項２】
前記身頃用スライドファスナーは、前記前身頃および後身頃の双方の両側縁部に設けられ、
前記一対の袖の各々は肩に被さる形態の袖であって、前記延出部として所定長さのマチ部が当該袖に一体に連ねられて、このマチ部が各身頃の当該マチ部と同じ側の脇の間に挿入され、
各身頃用スライドファスナーでは、２本のテープのうちの一方が対応する身頃の一側縁部に合わせられて当該身頃に連結され、他方のテープは当該身頃用スライドファスナーと同じ側にある袖の袖山およびその袖に連なるマチ部の端縁部に合わせられてこれらに連結される、請求項１に記載された衣服。
【請求項３】
前記身頃用スライドファスナーは、前記前身頃および前記後身頃のいずれか一方の両側縁部に設けられ、
前記一対の袖の各々は肩に被さる形態の袖であって、前記延出部として所定長さのマチ部が当該袖に一体に連ねられて、このマチ部が各身頃の当該マチ部と同じ側の脇の間に挿入されると共に前記身頃用スライドファスナーが設けられていない方の身頃の脇に連結され、
前記身頃用スライドファスナーでは、２本のテープのうちの一方が対応する身頃の一側縁部に合わせられて当該身頃に連結され、他方のテープは当該身頃用スライドファスナーと同じ側にある袖の袖山およびその袖に連なるマチ部の端縁部に合わせられてこれらに連結される、
請求項１に記載された衣服。
【請求項４】
前記袖用スライドファスナーは前記袖下より長く、この袖用スライドファスナーの袖下からはみ出た部分が前記マチ部に組み込まれる、請求項２または３に記載された衣服。
【請求項５】
前記身頃用スライドファスナーは、前身頃および後身頃の双方の両側縁部にそれぞれ設けられ、
前記一対の袖の各々は肩に被さらない形態の袖であって、前記袖用スライドファスナーは前記袖下より長く、この袖用スライドファスナーの袖下からはみ出た部分が前記延出部として同じ側にある各身頃の脇の間に挿入され、
各身頃用スライドファスナーでは、２本のテープのうちの一方が、対応する身頃の肩および袖ぐりならびに脇の各端縁部に合わせられて当該身頃に連結され、他方のテープは、肩に対応する範囲では前または後に位置する他の身頃用スライドファスナーの身頃に連結されていない方のテープと幅方向に沿って並ぶ状態となって当該テープに連結され、袖ぐりに対応する範囲では同じ側にある袖の袖山に合わせられて当該袖に連結され、袖ぐりより下の範囲が前記袖用スライドファスナーの延出部と幅方向に沿って並ぶ状態となって当該延出部に連結される、請求項１に記載された衣服。
【請求項６】
前記身頃用スライドファスナーは、前身頃および後身頃のいずれか一方の両側縁部に設けられ、
前記一対の袖の各々は肩に被さらない形態の袖であって、前記袖用スライドファスナーは袖下より長く、この袖用スライドファスナーの袖下からはみ出た部分が前記延出部として同じ側にある各身頃の脇の間に挿入されると共に、前記身頃用スライドファスナーが取り付けられていない方の身頃の脇に連結され、
各身頃用スライドファスナーでは、２本のテープのうちの一方が、対応する身頃の肩および袖ぐりならびに脇の各端縁部に合わせられて当該身頃に連結され、他方のテープは、肩に対応する範囲では前または後に位置する他の身頃の肩に合わせられて当該身頃に連結され、袖ぐりに対応する範囲では同じ側にある袖の袖山に合わせられて当該袖に連結され、袖ぐりより下の範囲が前記袖用スライドファスナーの延出部と幅方向に沿って並ぶ状態となって当該延出部に連結される、
請求項１に記載された衣服。
【請求項７】
前記袖用スライドファスナーは、袖口の側の端縁から他方の端縁に向かって２本のテープのかみ合わせを解除することが可能であり、
前記身頃用スライドファスナーは、襟ぐりの側の端縁から他方の端縁に向かって２本のテープのかみ合わせを解除することが可能である、
請求項１〜６のいずれかに記載された衣服。
【請求項８】
前記身頃用スライドファスナーには、前記２本のテープのかみ合わせを解除するための移動の方向を対応する身頃の襟ぐりの側の端縁から離れる方向に向けた一対のスライダーが互いに当接可能に配備されると共に、当該一対のスライダーが前記襟ぐりの側の端縁から離れた位置で当接することによってその当接位置から前記襟ぐりの側の端縁までの２本のテープのかみ合わせが解除され、
前記袖用スライドファスナーには、前記２本のテープのかみ合わせを解除するための移動の方向を前記袖口の側の端縁から離れる方向に向けた一対のスライダーが互いに当接可能に配備されると共に、当該一対のスライダーが前記袖口の側の端縁から離れた位置で当接することによってその当接位置から前記袖口の側の端縁までの２本のテープのかみ合わせが解除される、請求項７に記載された衣服。
【請求項９】
前記身頃用スライドファスナーには、前記２本のテープのかみ合わせを解除するための移動の方向を対応する身頃の裾側の端縁から離れる方向に向けた第２の一対のスライダーが互いに当接可能に配備されると共に、当該第２の一対のスライダーが前記裾側の端縁から離れた位置で当接することによってその当接位置から前記裾側の端縁までの２本のテープのかみ合わせが解除される、請求項８に記載された衣服。
【請求項１０】
前記身頃用および袖用の各スライドファスナーには、相手に近づく方向に移動することにより前記２本のテープのかみ合わせが解除されるように、前記２本のテープのかみ合わせを解除するためのそれぞれの移動方向を相反させた一対のスライダーが配備される、請求項７に記載された衣服。
【請求項１１】
人体の上半身を覆う形の前身頃および後身頃と左右一対の袖とを備えた衣服であって、
前身頃および後身頃の両側縁部には、それぞれ襟ぐり付近から脇の所定位置までの範囲に対応する長さの身頃用スライドファスナーが当該範囲に合わせられた状態で連結され、これらの身頃用スライドファスナーを介して前記一対の袖が各身頃に着脱可能に装着され、
各身頃用スライドファスナーの各々は、２本のテープのうちの一方が対応する身頃の一側縁部に合わせられて当該身頃に連結され、他方のテープは当該身頃用スライドファスナーと同じ側にある袖の対応する身頃の側の袖山に合わせられて当該袖に連結されると共に、このテープの前記袖に連結されていない部分は当該袖に連結されている他方の身頃のテープの当該袖に連結されていない部分と幅方向に沿って並ぶ状態となって当該部分に直接にまたは所定幅のマチ部を介して連結されている、
ことを特徴とする衣服。
【請求項１２】
人体の上半身を覆う形の前身頃および後身頃と左右一対の袖とを備えた衣服であって、
各身頃の両側の襟ぐりから脇の上端部までの範囲は、それぞれ他方の身頃において対向する関係にあるラインに沿う端縁部または同じ側にある袖の袖山に沿う端縁部に着脱可能に取り付けられ、
前記各袖の袖下を含む所定範囲には所定長さのマチ部が一体に連ねられ、このマチ部が前身頃および後身頃の当該マチ部と同じ側にある各脇の間に挿入され、それぞれの脇に沿う端縁部に着脱可能に取り付けられる、ことを特徴とする衣服。
【請求項１３】
前記一対の袖の各々では、袖下が全長にわたって開放されると共に、その開放部分の各端縁部が互いに着脱可能に連結されている、
請求項１２に記載された衣服。
【発明の詳細な説明】
【技術分野】
【０００１】
本発明は、病院での診察や鍼灸・マッサージ等の施術を受ける人や介護・看護を受ける人の着用に適した衣服に関する。
【背景技術】
【０００２】
介護用の衣服として、従前より、スライドファスナーを介して身頃や袖を着脱自由に連結した構成の衣服が提案されている。たとえば特許文献１には、人の上半身の形状に対応する前身頃と後身頃とを、肩から袖口に至るラインおよび袖下から脇に沿って延びるラインに沿うスライドファスナーにより連結した構成の衣服が開示されている（特許文献１の図１を参照。）。
【０００３】
特許文献１に記載された衣服では、一対のスライダーが互いに離れる方向に移動することによって務歯（エレメント）の列のかみ合わせが解除されるように配置されたスライドファスナー（「頭合わせファスナー」と呼ばれるもの）を使用することにより、スライドファスナーの長さ方向の任意の範囲を開口できるようにしている。また、これらのスライドファスナーの一方のテープとスライダーとの係合を両端縁で外すことによって、前身頃と後身頃とを完全に分離することができる。
【０００４】
特許文献２にも特許文献１と同様の連結状態の上衣が開示され（特許文献２の図６（Ｂ）（Ｄ）を参照。）、さらに両側の袖口から袖下および脇を経由して袖に至るまでのラインがそれぞれ一本のスライドファスナーにより連結された構成の衣服が開示されている（特許文献２の図１，図６（Ａ）を参照。）。特許文献２に記載された衣服では、特許文献１とは反対に、一対のスライダーが互いに近づく方向に移動することにより務歯の列のかみ合わせが解除されるように配置されたスライドファスナー（「尻合わせファスナー」と呼ばれるもの）を使用することにより、端縁から中間の任意の位置までを解放できるようにしている。
【０００５】
さらに特許文献１，２のいずれの衣服でも、開口の調整が完了した後のスライダーが動かないようにするために、ロック機構を有するスライダーが使用されている。
【先行技術文献】
【特許文献】
【０００６】
【特許文献１】特開平８−１９９４１１号公報
【特許文献２】登録実用新案公報第３０６４５９５号公報
【発明の概要】
【発明が解決しようとする課題】
【０００７】
特許文献１の図１や特許文献２の図６（Ｂ）（Ｄ）に記載されている衣服では、襟ぐりから肩およびその延長線に沿って袖口まで延びる範囲が１本のスライドファスナーによって開閉自由に支持されているが、このような構成では、たとえば清拭や薬剤の塗布などの処置のために背中だけを露出させたい場合でも腕の部分も一緒に露出されたり、うつぶせ姿勢にならないと前身頃も大きくはだけてしまうなど、露出する必要がない箇所まで露出され、介護や看護の対象者（特に女性）に嫌な思いをさせるおそれがある。また、身頃を身体に被せたまま袖を身頃から離すことも不可能である。特許文献２の図１に記載されているような袖下から脇に連なるラインにスライドファスナーが設けられる衣服でも、袖を袖口からめくり上げたり、身頃を裾からのめくり上げることができるだけである。
【０００８】
鍼灸の施術を行う場合や病院で診察や注射・血圧測定等の処理を行う場合には、対象者の身体の対象部位を露出させる必要があるが、対象者の中には、肌や下着が露出されることに抵抗感を感じる人がおり、強い拒絶の意思が示される場合もある。この問題への対策として、現場では、タオルなどの布をあてがって露出の範囲を調整することが多いが、何らかのはずみで布が外れてしまう可能性があり、対象者に不安を感じさせるおそれがある。また、鍼灸院においては、布で覆われた箇所または衣服の隙間から鍼を差し入れて施術が行われる場合があるが、鍼の入り具合を確認することが困難であり、施術が正しく行われないおそれがある。また刺入された鍼の上に布が被せられてその布の重みで鍼が身体のより深い箇所に入り込んだり、鍼が布に付着して外れて行方不明になる等の問題が発生するおそれもある。
【０００９】
本発明は、上記の諸問題に着目してなされたもので、身頃や左右の袖を他の部位から独立させて個別に開放できるようにして、介護や看護の現場で使用される衣服の利便性を従来より大幅に高めることを第１の課題とする。さらに本発明は、施術や治療等の際に着用される衣服の開放範囲を、着用している人の要望や処置の目的に応じてきめ細かく調整できるようにすることを第２の課題とする。
【課題を解決するための手段】
【００１０】
本発明は、人体の上半身を覆う形の前身頃および後身頃と、左右一対の袖とを備える衣服に適用されるものである。一対の袖の各々には、当該袖の袖下を全長にわたって開閉可能に支持する袖用スライドファスナーが組み込まれると共に、各袖の袖下を含む所定範囲に脇の方へと延び出る延出部が一体に連ねられる。
【００１１】
前身頃および後身頃の少なくとも一方の両側縁部には、それぞれ襟ぐり付近から脇の所定位置までの範囲に対応する長さの身頃用スライドファスナーが当該範囲に合わせられた状態で連結され、これらの身頃用スライドファスナーを介して前記一対の袖および各袖の延出部が当該身頃用スライドファスナーが設けられた身頃に着脱可能に装着されると共に、各身頃の脇が前記延出部を介して連結される。
【００１２】
上記の構成によれば、たとえば、身頃用スライドファスナーが設けられている身頃の両側の身頃用スライドファスナーを襟ぐりの側の端縁から開口することによって、この身頃を襟ぐりから任意の位置まで開放することができる。このとき袖は、袖用スライドファスナーが開口されない限り、閉じた状態で維持されるので、袖を腕に装着したまま、身頃のみを身体から離すことができる。また、他方の身頃は袖に連なった状態にあるので、この身頃を身体に被せられた状態で維持することができる。袖用スライドファスナーを開いた場合も、身頃を身体に装着したまま袖を開放することができる。
【００１３】
各身頃の同じ袖に連結されている身頃用スライドファスナーの袖に対応する範囲を開口して袖と各身頃との連結を外し、さらに連結が外れた袖の袖用スライドファスナーを開口すると、開口された袖下や袖山を開くことによって袖を大きく変形させることができ、袖を腕から容易に引き抜くことができる。
【００１４】
以下、上記の衣服について４つの実施形態をあげる。
第１の実施形態の衣服では、身頃用スライドファスナーが前身頃および後身頃の双方の両側縁部に設けられる。一対の袖の各々は、ラグラン袖に代表される肩に被さる形態の袖であって、延出部として所定長さのマチ部が当該袖に一体に連ねられて、このマチ部が各身頃の当該マチ部と同じ側の脇の間に挿入される。各身頃用スライドファスナーでは、２本のテープのうちの一方が対応する身頃の一側縁部に合わせられて当該身頃に連結され、他方のテープは当該身頃用スライドファスナーと同じ側にある袖の袖山およびその袖に連なるマチ部の端縁部に合わせられてこれらに連結される。
【００１５】
第２の実施形態の衣服では、身頃用スライドファスナーは前身頃および後身頃のいずれか一方の両側縁部に設けられる。第２の実施形態の袖も肩に被さる形態の袖であって、延出部として所定長さのマチ部が当該袖に一体に連ねられて、このマチ部が各身頃の当該マチ部と同じ側の脇の間に挿入されると共に、身頃用スライドファスナーが設けられていない方の身頃の脇に連結される。各身頃用スライドファスナーは、対応する身頃および当該スライドファスナーと同じ側にある袖の袖山およびマチ部に対し、第１の実施形態と同様の関係をもって連結される。
【００１６】
さらに第１および第２の実施形態においては、袖用スライドファスナーを袖下より長くして、この袖用スライドファスナーの袖下からはみ出た部分をマチ部に組み込むことができる。このようにすれば、身頃用スライドファスナーの開口によって身頃と袖との連結を外すと共に、袖用スライドファスナーの開口によって袖下およびマチ部を開口状態にすることによって、袖を大きく広げて平坦に近い状態にすることができる。よって腕への袖の脱着作業をより容易にすることができる。
【００１７】
第３の実施形態では、身頃用スライドファスナーは、前身頃および後身頃の双方の両側部にそれぞれ設けられる。一対の袖の各々は一般的な肩に被さらない形態の袖であるが、そこに組み込まれる袖用スライドファスナーは袖下より長く、この袖用スライドファスナーの袖下からはみ出た部分が前記延出部として同じ側にある各身頃の脇の間に挿入される。
【００１８】
各身頃用スライドファスナーでは、２本のテープのうちの一方が、対応する身頃の肩および袖ぐりならびに脇の各端縁部に合わせられて当該身頃に連結される。他方のテープは肩に対応する範囲では前または後に位置する他の身頃用スライドファスナーの身頃に連結されていない方のテープと幅方向に沿って並ぶ状態となって当該テープに連結され、袖ぐりに対応する範囲では同じ側にある袖の袖山に合わせられて当該袖に連結され，袖ぐりより下の範囲が袖用スライドファスナーの延出部と幅方向に沿って並ぶ状態となって当該延出部に連結される。
【００１９】
第３の実施形態によれば、各身頃用スライドファスナーが脇の位置で袖用スライドファスナーの延出部を挟んで連結され、この連結部分を介して前身頃の脇と後身頃の脇とが連結される。各身頃は両肩位置では前身頃用および後身頃用のスライドファスナーが連結されている部分を介して連結される。また左右の袖は、袖下に組み込まれた袖用スライドファスナーを閉じることによって、筒型に形成されると共に、各身頃の袖ぐりにそれぞれの身頃用スライドファスナーを介して連結される。
【００２０】
第４の実施形態では、身頃用スライドファスナーは前身頃および後身頃のいずれか一方の両側縁部に設けられる。一対の袖の各々および袖用スライドファスナーは第３の実施形態と同様の構成であって、袖用スライドファスナーの延出部は同じ側にある各身頃の脇の間に挿入されると共に、身頃用スライドファスナーが取り付けられていない方の身頃の脇に連結される。身頃用スライドファスナーでは、２本のテープのうちの一方が、対応する身頃の肩および袖ぐりならびに脇の各端縁部に合わせられて当該身頃に連結され、他方のテープは、肩に対応する範囲では前または後に位置する他の身頃の肩に合わせられて当該身頃に連結され、袖ぐりに対応する範囲では同じ側にある袖の袖山に合わせられて当該袖に連結され、袖ぐりより下の範囲が袖用スライドファスナーの延出部と幅方向に沿って並ぶ状態となって当該延出部に連結される。
【００２１】
第４の実施形態によれば、身頃用スライドファスナーが設けられている身頃と他方の身頃とは、両脇において、身頃用スライドファスナーおよび袖用スライドファスナーの延出部の連結体を介して相互に連結され、両肩位置では身頃用スライドファスナーを介して連結される。左右の袖も、袖下に組み込まれた袖用スライドファスナーを閉じることによって、筒型に形成されると共に、身頃用スライドファスナーが設けられている身頃の袖山に当該身頃用スライドファスナーを介して着脱可能に連結され、他方の身頃の袖山にも縫い合わせ等の方法により連結される。
【００２２】
なお、第３および第４の実施形態におけるスライドファスナー間の連結は、縫合・接着・溶着等により両者を直接に繋ぎ合わせる方法で行うことができるが、これに限らず、スライドファスナーの間に所定幅の繋ぎ部材を挟んで繋ぎ合わせる方法をとることもできる。
【００２３】
上記４つの実施形態を含む本発明の衣服では、各身頃用スライドファスナーや袖用スライドファスナーの開放される方向を限定しなくとも、前述した第１の課題を解決することはできる。しかし、第２の課題を解決するには、袖用スライドファスナーを、袖口の側の端縁から他方の端縁に向かって２本のテープのかみ合わせを解除することができるようにし、身頃用スライドファスナーを、襟ぐりの側の端縁から他方の端縁に向かって２本のテープのかみ合わせを解除することができるようにする、という要件を加える必要がある。
【００２４】
上記の要件を満たすスライドファスナーとして、２本のテープのかみ合わせを解除するための移動の方向（以下、この方向を「開方向」という。）を同じ方向に向けた一対のスライダーが互いに当接可能に配備されると共に、当該一対のスライダーが開方向の上流側の端縁から離れた位置で当接することによってその当接位置から開方向の上流側の端縁までの２本のテープのかみあわせが解除される形態のスライドファスナーを使用することができる。この場合、身頃用スライドファスナーは、開方向を襟ぐりの側の端縁から離れる方向に向けて配備され、袖用スライドファスナーは、開方向を袖口の側の端縁から離れる方向に向けて配備される。
【００２５】
一対のスライダーが設けられる一般的なスライドファスナーでは、各スライダーは互いの開方向を相反させて取り付けられる（特許文献１，２を参照）が、上記の構成のスライドファスナーでは、一対のスライダーは開方向を同じ向きにして取り付けられ、開方向の下流側にあるスライダーを開方向に沿って所定位置まで動かした後に、これに当接する位置まで上流側のスライダーを動かすことによって、上流側のスライダーから襟ぐりの側の端縁までの範囲を開口することができる。２つのスライダーが当接した後は、上流側のスライダーから下流側のスライダーに押圧力をかけても下流側のスライダーは移動せず、そのため上流側のスライダーも移動できない（その理由は後述する。）。よって、開口部が不用意に広げられるのを防ぐことができる。
【００２６】
上記の構成によれば、衣服を着用している人自身や施術等を行う人が開口して良いと認める位置まで下流側のスライダーを移動させることによって開口許容範囲を指定し、その範囲内での開口にとどめることができる。
【００２７】
さらに身頃用スライドファスナーには、開方向を対応する身頃の裾側の端縁から離れる方向に向けた第２の一対のスライダーを互いに当接可能に配備し、当該第２の一対のスライダーが裾側の端縁から離れた位置で当接することによってその当接位置から裾側の端縁までの２本のテープのかみ合わせが解除されるようにすることができる。このようにすれば、前身頃や後身頃を裾の側からも所望の位置まで開放することが可能になり、その開放範囲が不用意に広がるのを防止することもできる。
なお、袖用スライドファスナーにも同様に、裾側の端縁から離れる方向を開方向とする一対のスライダーを設けることができる。
【００２８】
上述した要件を満たすスライドファスナーとして、相手に近づく方向に移動することにより前記２本のテープのかみ合わせが解除されるようにそれぞれの開方向を相反させた一対のスライダーが配備された構成のファスナー（いわゆる「尻合わせファスナー」）を使用することもできる。またはスライダーが１つのみで、その開方向が襟ぐりの側から離れる方向または袖口の側から離れる方向に合わせられたスライドファスナーも、上述の要件を満たすものとなる。
【００２９】
本発明を他の観点から捉え、袖用スライドファスナーがなく、前後の身頃の両側縁部の襟ぐり付近から脇の所定位置までの範囲にそれぞれ身頃用スライドファスナーが設けられた構成の衣服を提供することもできる。各身頃用スライドファスナーの各々は、２本のテープのうちの一方が対応する身頃の一側縁部に合わせられて当該身頃に連結される。他方のテープは当該身頃用スライドファスナーと同じ側にある袖の対応する身頃の側の袖山に合わせられて当該袖に連結されると共に、このテープの袖に連結されていない部分は当該袖に連結されている他方の身頃のテープの当該袖に連結されていない部分と幅方向に沿って並ぶ状態となって当該部分に直接にまたは所定幅のマチ部を介して連結される。
【００３０】
上記の衣服では、各身頃の両側縁部のうち袖に対応する部分は当該身頃の身頃用スライドファスナーを介して当該袖に連結され、その他の部分は、それぞれの身頃の身頃用スライドファスナーの連結体を介して相互に連結される。このような連結構造によって、前身頃や後身頃をそれぞれ他方の身頃や袖から独立させて開放することができる。また各身頃用スライドファスナーを大きく開くことによって、身頃同士を大きく離すことが可能になる。また、各身頃用スライドファスナーを袖との連結が外れる範囲で開口すれば、袖を各身頃から離して腕から抜き取ることも可能である。
【００３１】
本発明では、スライドファスナーを介して各身頃と左右の袖とを連結することによって、着用時には肩，脇，袖下のラインを閉じて対象者の身体に安定して装着することができ、また通常の衣服と同様に繰り返し着用でき、着用して外出しても違和感のない衣服を提供することができる。ただし、袖からの延出部が袖用ファスナーの袖下からはみ出した部分のみとなる形態以外の衣服では、スライドファスナーに代えて、着脱可能に連結される一対の係合部材より成る連結部材を、スライドファスナーが配備されるべき端縁部に沿って配列することによっても、同等の機能を有する衣服を提供することができる。勿論、身頃用スライドファスナーおよび袖用スライドファスナーのいずれか一方を、上記の連結部材の配列に置き換え、他方をスライドファスナーのままとしてもよい。
【発明の効果】
【００３２】
本発明の衣服によれば、前後の身頃や袖をそれぞれ他の部材から切り離して所望の範囲まで開放することができ、また袖を袖下や袖ぐりの側から大きく開放することができるので、脱着が容易であり、介護、看護、手術等の用途にも大いに活用することができる。さらに、各部材を連結するための手段として、襟ぐりの側や袖口の側から離れる方向に開方向を合わせたスライドファスナーを使用することによって、衣服の着用者の意思や施術や治療等の必要性に基づいて開放される箇所や開放範囲の大きさをきめ細かく調整することができる。
【図面の簡単な説明】
【００３３】
【図１】第１タイプの衣服の構成例を示す正面図である。
【図２】図１の衣服の前身頃、後身頃、および左右の袖を個別に表した分解平面図である。
【図３】図１の衣服の連結部材の構成を示す正面図である。
【図４】図１の衣服の肩部および袖の上半分の構成を示す上面図である。
【図５】図１の衣服の袖の袖下側および脇部の構成を示す側面図である。
【図６】連結部材に用いられるファスナー部品の構成を示す正面図である。
【図７】図６のファスナー部品を一端縁から開口する場合の手順を示す図である。
【図８】図６のファスナー部品を長さ方向の中間位置で開口する場合の手順を示す図である。
【図９】図６のファスナー部品の２つのスライダーと務歯の列との関係を模式的に示す図である。
【図１０】一対のスライダーを有する一般的なファスナーにおける各スライダーと務歯の列との関係を模式的に示す図である。
【図１１】一対のスライダーを有する一般的なファスナーにおける各スライダーと務歯の列との関係を模式的に示す図である。
【図１２】衣服の一部の開放に関する第１の事例を示す図である。
【図１３】衣服の一部の開放に関する第２の事例を示す図である。
【図１４】衣服の一部の開放に関する第３の事例を示す図である。
【図１５】衣服の一部の開放に関する第４の事例を示す図である。
【図１６】衣服の一部の開放に関する第５の事例を示す図である。
【図１７】衣服の一部の開放に関する第６の事例を示す図である。
【図１８】衣服の一部の開放に関する第７の事例を示す図である。
【図１９】ファスナーの開口によって各身頃や袖が互いに大きく離される事例を示す図である。
【図２０】本発明が適用された衣服の他の例を示す正面図である。
【図２１】図２０の衣服の肩部および袖の上半分の構成を示す上面図である。
【図２２】図２０の衣服の袖の袖下側および脇部の構成を示す側面図である。
【図２３】第２タイプの衣服の構成例を示す正面図である。
【図２４】図２３の衣服の袖の袖下側および脇部の構成を示す側面図である。
【図２５】図２３の衣服の各スライドファスナーに当て布が配備されていることを示した側面図である。
【図２６】図２３の衣服の袖およびこれに連なるマチ部の展開図である。
【図２７】第２タイプの衣服の変形例を示す側面図である。
【図２８】第２タイプの衣服の他の変形例を示す側面図である。
【発明を実施するための形態】
【００３４】
以下、本発明が適用された衣服を「第１タイプ」「第２タイプ」の２つのタイプに分けて、タイプ毎に変形例を含む複数の実施形態をあげて詳細に説明する。
【００３５】
＜第１タイプの衣服＞
図１は、第１タイプの代表例となる衣服１００を正面から見た外観を示す。図２および図３は、この衣服１００を構成する部材を個別に表したものである。また、図４は当該衣服１００の一方の肩部とこれに連なる袖３の構成を表す上面図であり、図５は、袖３を上に向けた状態の衣服の側面図である。
【００３６】
この実施例の衣服１００は、図２に示す前身頃１ならびに後身頃２、および左右一対の袖３，３を、両側縁部でそれぞれ図３に示す連結部材５を介して開閉可能に連結して成るものである。なお、各身頃１，２は、人体の首から脚の付け根付近までを覆うことを想定して型どられているが、その長さに限らず、脚の一部または脚のほぼ全体が隠れるロング丈にしてもよい。
【００３７】
連結部材５は、３本のスライドファスナーＦ１，Ｆ２，Ｆ３（以下、単に「ファスナーＦ１，Ｆ２，Ｆ３」という。）を、それぞれの長さ方向の一端縁から中間の所定位置までの範囲で幅方向に沿って並べて連結し、それより先の部分を分岐させた三つ叉構造の部材である。ファスナーＦ１，Ｆ２，Ｆ３が連結する部分５０（図３，図５を参照。以下、この部分５０を「連結部５０」という。）の長さは各身頃１，２の脇１３，２３の長さに対応し、連結部５０の一方の側に位置するファスナーＦ１が前身頃１に連結され、他方の側にあるファスナーＦ２が後身頃２に連結される。いずれの連結も、ファスナーＦ１，Ｆ２を形成する２本のテープのうちの中央のファスナーＦ３に連結されていない方のテープＴ１Ａ，Ｔ２Ａを対応する身頃１，２の脇１３，２３に沿う端縁部に縫い合わせて固定する方法により行われる。これらの縫い合わせによって、前身頃１と後身頃２とは両脇で開閉可能に連結される。
【００３８】
以下、前身頃１に連結されるファスナーＦ１を「前身頃用ファスナーＦ１」と呼び、後身頃２に連結されるファスナーを「後身頃用ファスナーＦ２」と呼ぶ。またこれらのファスナーＦ１，Ｆ２を形成する２本のテープのうちの対応する身頃に連結される方のテープＴ１Ａ，Ｔ２Ａを「身頃側テープＴ１Ａ，Ｔ２Ａ」と呼び、他方のテープＴ１Ｂ，Ｔ２Ｂを「対向側テープＴ１Ｂ，Ｔ２Ｂ」と呼ぶ。
【００３９】
なお、図３では、図５に示す衣服１００の左袖側の連結部材５（図１の紙面に向かって右側となる。）を想定して各構成への符号を付しているが、右袖側の連結部材５では、前身頃用ファスナーＦ１と後身頃用ファスナーＦ２との左右関係や個々のファスナーにおける２本のテープの左右関係が逆になる。
【００４０】
前身頃用ファスナーＦ１および後身頃用ファスナーＦ２の分岐部分５１，５２は、対応する身頃１，２の肩１１，２１および袖ぐり１２，２２の範囲のラインに対応する長さに設定される。各ファスナーＦ１，Ｆ２の身頃側テープＴ１Ａ，Ｔ２Ａは、分岐部分５１，５２においても、対応する身頃１，２の上記のラインに沿う端縁部に縫い合わせられる（図４，５を参照。）。
【００４１】
したがって、前身頃用ファスナーＦ１の身頃側テープＴ１Ａは、その全長を前身頃１の襟ぐり（首側の端縁）１０と肩１１との交差位置から肩１１および袖ぐり１２を経由して脇１３に沿って裾１４へと延びるラインに沿わせて前身頃１に固定される。後身頃用ファスナーＦ２の身頃側テープＴ２Ａも同様に、その全長を後身頃２の襟ぐり２０と肩２１との交差位置から肩２１および袖ぐり２２を経由して脇２３に沿って裾２４へと延びるラインに沿わせて後身頃２の端縁部に固定される。なお、いずれのファスナーＦ１，Ｆ２も、上記のライン全体に対応する長さである必要はなく、両端縁のいずれか一方または双方が襟ぐり１０，２０や裾１４，２４に対して若干内側に位置する状態であってもよい。
【００４２】
連結部５０において中央に位置するファスナーＦ３は、当該連結部５０においては前身頃側のテープＴ３Ａが前身頃用ファスナーＦ１の対向側テープＴ１Ｂに連結され、後身頃側のテープＴ３Ｂが後身頃用ファスナーＦ２の対向側テープＴ２Ｂに連結される。これらの連結も縫い合わせにより行われる。ファスナーＦ３の前身頃用ファスナーＦ１に連結されている側のテープＴ３Ａは、分岐部分５３では袖３の前身頃１の側の側縁部３１ａに連結され、後身頃用ファスナーＦ２に連結されている側のテープＴ３Ｂは、分岐部分５３では袖の後身頃２の側の側縁部３１ｂに連結される（図５を参照。）。このように、袖３の両側縁部３１ａ，３１ｂの間にファスナーＦ３の分岐部分５３が挟まれて三者が連結されることによって、開閉可能な袖下３１が形成される。すなわち、ファスナーＦ３の分岐部分５３は、袖３の袖下３１の位置に組み込まれて、当該袖下３１を全長にわたって開閉可能に支持するものとなる。以下、この袖３に組み込まれるファスナーＦ３を「袖用ファスナーＦ３」と呼ぶ。
【００４３】
なお、この実施例では、袖用ファスナーＦ３の分岐部分５３を袖下３１より短くすると共に、袖下３１の袖口３０の側の先端部にスリット３５を形成し、このスリット３５とファスナーＦ３の分岐部分５３とを連続させることによって袖下３１の全長を開放できるようにしている（図５を参照。）。しかし、スリット３５を設けずに分岐部分５３を袖口５３まで延ばしてもよい。
【００４４】
前身頃用ファスナーＦ１および後身頃用ファスナーＦ２の対向側テープＴ１Ｂ，Ｔ２Ｂは、分岐部分５１，５２では、その分岐の起点（対応する身頃１，２の脇１３，２３の上端位置）から袖用ファスナーＦ３が組み込まれている袖３の袖山３２の前身頃側と後身頃側とに分かれ、それぞれ当該袖山３２に沿う端縁部に縫い合わせられる（図４，５を参照。）。これらの対向側テープＴ１Ｂ，Ｔ２Ｂは袖山３２の頂点位置で再び出会い、その出会い位置から先端までの範囲（肩に対応する範囲）が幅方向に並ぶ状態に縫い合わせられて一体化される（図４を参照。）。
【００４５】
上述した各種の連結によって、袖３は、前身頃用ファスナーＦ１および後身頃用ファスナーＦ２の分岐部分５１，５２を介して前身頃１および後身頃２に着脱可能に連結される。また各身頃１，２の肩１１，２１は、前身頃ファスナーＦ１と後身頃ファスナーＦ２とが直接に連結される部分を介して開閉可能に連結される。なお、各身頃１，２の肩の範囲での対向側テープＴ１Ｂ，Ｔ２Ｂの一体化は各テープを直接に連結する方法に限らず、たとえば両者の間に帯状のマチ布を挿入し、このマチ布に各テープＴ１Ｂ，Ｔ２Ｂを縫い合わせる方法をとってもよい。
【００４６】
この実施例の衣服１００は、図３に示した三つ叉構造の連結部材５をあらかじめ製作してから、一対の連結部材５，５を各身頃１，２や袖３，３に連結する方法により組み立てられるが、製作方法はこれに限定されるものではない。たとえば、１本ずつ独立した状態のファスナーＦ１，Ｆ２，Ｆ３を身頃１，２や袖３，３に連結してから、前身頃用ファスナーＦ１の前身頃１の脇１３に連結されている部分と後身頃用ファスナーＦ２の後身頃２の脇２３に連結されている部分との間に袖用ファスナーＦ３の袖下３１から延び出た部分（延出部）を挟み込んで、これらを連結する方法を採用してもよい。
【００４７】
また、この実施例では各部材を糸で縫い合わせて固定する方法によって、身頃１，２や袖３に対するファスナーＦ１，Ｆ２，Ｆ３の連結やファスナー間の連結を行っているが、これに限らず、接着強度が確保できるのであれば、接着剤により連結してもよい。また、ファスナーの間に帯状のマチ布を挿入して、このマチ布を介してファスナーを連結してもよい。また、各身頃１，２や袖３となる布地や各ファスナーＦ１，Ｆ２，Ｆ３のテープの素材が化学繊維であれば、これらを熱溶着により連結できる場合がある。後続の各実施例でも、同様の変形を適用することができる。
【００４８】
図６は、連結部材５の素材となるファスナーＦ０（連結部材５に組み込まれてファスナーＦ１，Ｆ２，Ｆ３のいずれかになるもの。以下、これを「ファスナー部品Ｆ０」という。）の構成を表すものである。この図６および後続の図７，８では、２本のテープを共通の符号Ｔにより示すと共に、これらのテープＴ，Ｔに一体に設けられている務歯（エレメント）の列を符号ＥＬにより示す。また図６においては、務歯の列ＥＬの各先端部に設けられている止め片（スライダーの離脱を防ぐためのもの）を符号ｓｐにより示す。
【００４９】
この実施例のファスナー部品Ｆ０の務歯の列ＥＬには、４個のスライダーＳ１ａ，Ｓ１ｂ，Ｓ２ａ，Ｓ２ｂが取り付けられている。いずれのスライダーも、長さ方向に沿って移動する間に、本体に組み込まれたＹ字状の通路（図示省略）で務歯の列ＥＬを湾曲させながら務歯同士をかみ合わせ、又はかみ合わせを解除する一般的なスライダーであって、ロック機能も設けられていない。なお、図６〜８および先の図３，５では、各スライダーＳ１ａ，Ｓ１ｂ，Ｓ２ａ，Ｓ２ｂの向きや関係を明示するために、これらの引手を一点鎖線で表している。
【００５０】
ファスナー部品Ｆ０の一方の端縁ｅ１から数えて１番目および２番目に位置するスライダーＳ１ａ，Ｓ１ｂは、それぞれ前述したＹ字状通路の分岐側（Ｖ字の部分）の開口部（肩口）を当該端縁ｅ１に向けて設置される。一方、ファスナーＦ０の他方の端縁ｅ２から数えて１番目および２番目に位置するスライダーＳ２ａ，Ｓ２ｂは、スライダーＳ１ａ，Ｓ１ｂとは反対の向き、すなわち肩口を端縁ｅ２に向けて設置される。
【００５１】
上記の構成により、スライダーＳ１ａ，Ｓ２ａでは、端縁ｅ１から遠ざかる方向が務歯のかみ合わせを解除するための移動方向（開方向）となり、端縁ｅ１に近づく方向が務歯をかみ合わせるための移動方向（閉方向）となる。スライダーＳ２ａ，Ｓ２ｂでは、端縁ｅ２から遠ざかる方向が開方向となり、端縁ｅ２に近づく方向が閉方向となる。
【００５２】
以下、同じ向きに配置された一対のスライダーの組（Ｓ１ａとＳ１ｂ、またはＳ２ａとＳ２ｂ）において、開方向の上流に位置するスライダーＳ１ａ，Ｓ２ａを「上流側スライダーＳ１ａ，Ｓ２ａ」と呼び、他方のスライダーＳ１ｂ，Ｓ２ｂを「下流側スライダーＳ１ｂ，Ｓ２ｂ」と呼ぶ。
【００５３】
図７は、ファスナー部品Ｆ０の一方の組のスライダーＳ１ａ，Ｓ１ｂが開方向に向けて移動する場合に生じる作用を表すものである。２つのスライダーＳ１ａ，Ｓ１ｂが務歯の列ＥＬの閉方向側の先端ｅ１に寄せられている状態（図７（１））において下流側スライダーＳ１ｂが開方向へと引っ張られると、下流側スライダーＳ１ｂから上流側スライダーＳ１ａまでの範囲の務歯のかみ合わせが解除される（図７（２））。さらに上流側スライダーＳ１ａが開方向に引っ張られると、上流側スライダーＳ１ａに捕捉されていた先端部分の務歯のかみ合わせも解除され、双方のスライダーＳ１ａ，Ｓ１ｂが当接することによって、その当接位置から端縁ｅ１までの範囲が開口される（図７（３））。
【００５４】
図９は、務歯の列ＥＬを線に置き換えて、開方向に移動したスライダーＳ１ａ，Ｓ１ｂと務歯の列ＥＬとの関係を模式的に示したものである。
図７に示した手順でスライダーＳ１ａ，Ｓ１ｂを移動させた場合、上流側スライダーＳ１ａに捕捉されている先端部分以外の務歯のかみ合わせは下流側スライダーＳ１ｂによって解除され、上流側スライダーＳ１ａは先端部の務歯のかみ合わせを解除するだけとなる。下流側スライダーＳ１ｂに当接するまでは障壁がないので、上流側スライダーＳ１ａは下流側スライダーＳ１ｂによって２つに分かれた務歯の列ＥＬを通過することで、開方向に進むことができる（図９（１））。
【００５５】
下流側スライダーＳ１ｂに当接した上流側スライダーＳ１ａに開方向への推進力を発生させるには、当該スライダーＳ１ａのＹ字通路の非分岐側（開方向に向かう側）の務歯の列がかみ合わされている必要がある。しかし、上流側スライダーＳ１ａに含まれる務歯はすべて解放されているため、開方向への推進力を発生させることはできない（図９（２））。したがって、当接後の上流側スライダーＳ１ａを開方向の側に引っ張り続けることで下流側スライダーＳ１ｂを押圧しても、これらのスライダーＳ１ａ，Ｓ１ｂを開方向に進めることはできず、上流側スライダーＳ１ａは、下流側スライダーＳ１ｂに当接した位置で停止する。
【００５６】
端縁ｅ２から端縁ｅ１に向かう方向を開方向とするスライダーＳ２ａ，Ｓ２ｂの組についても、上記の図７，９に示したのと同様の作用が生じる。
【００５７】
図１０および図１１は、上記のファスナーＦ０と対比させるために、一対のスライダーＳ１，Ｓ２が互いの向きを反対にして配備される一般的なファスナーにおいて、双方のスライダーＳ１，Ｓ２が長さ中央部で当接した場合に生じる作用を表したものである。
【００５８】
図１０の例のスライダーＳ１，Ｓ２は、相手に近づく方向を開方向とする「尻合わせ」に配置され、図１１のスライダーＳ１，Ｓ２は、相手から離れる方向を開方向とする「頭合わせ」に配置されている。いずれの例でも、スライダーＳ１，Ｓ２内のＹ字状通路（図示省略）の務歯の列ＥＬは、通路の形状どおりに非分岐側でかみ合わせられ、分岐側で二分されているので、開閉いずれの方向へも移動が可能である。また、互いの開閉の方向が逆であるため、たとえば、スライダーＳ１をスライダーＳ２に近づく方向（図９，１０の矢印ｄｎの方向）に引っ張り、スライダーＳ２に当接した後も同じ方向に引っ張り続けた場合には、各スライダーＳ１，Ｓ２内の務歯の列ＥＬの関係を維持したままスライダーＳ１によりスライダーＳ２を押圧して動かすことができる。よってスライダーＳ１，Ｓ２を、当接状態を維持したまま、矢印ｄｎの方向に移動させることができる。
【００５９】
ちなみに、本実施例のファスナー部品Ｆ０（図６参照。）でも、端縁ｅ１の側の下流側スライダーＳ１ｂと端縁ｅ２の側の下流側スライダーＳ２ｂとは図１０と同じ関係をもって配置されているので、これらが当接する状態になったときに一方の下流側スライダーを他方の下流側スライダーを押圧する方向に引っ張ることで、その引っ張り方向に双方の下流側スライダーＳ１ｂ，Ｓ２ｂを動かすことができる。しかし、本実施例のファスナー部品Ｆ０の特徴部分はその点ではなく、同じ向きかつ互いに当接可能に配置された一対のスライダー（Ｓ１ａとＳ１ｂ、またはＳ２ａとＳ２ｂ）によって、開口範囲を自由に調整できかつ開口可能な範囲が容易に変動しないようにすることにある。
【００６０】
本実施例のファスナー部品Ｆ０によれば、上流側スライダーＳ１ａ，Ｓ２ａが下流側スライダーＳ１ｂ，Ｓ２ｂに当接した後は、下流側スライダーＳ１ｂ，Ｓ２ｂを直接に引っ張るか直接に押圧しない限り、下流側スライダーＳ１ｂ，Ｓ２ｂを開方向に移動させることは不可能である。また上流側スライダーＳ１ａ，Ｓ２ａの開方向への移動も、下流側スライダーＳ１ｂ，Ｓ２ｂに当接する位置で停止する。したがって、たとえばファスナー部品Ｆ０が図７（３）に示した状態に開口された後にその開口部分のテープＴ，Ｔが外側に引っ張られてスライダーＳ１ａ，Ｓ１ｂに開方向への押圧力がかかったとしても、スライダーＳ１ａ，Ｓ１ｂが動いて開口範囲が広がることはなく、開口範囲を安定して維持することができる。
【００６１】
上記のとおり、下流側スライダーＳ１ｂ，Ｓ２ｂに当接した上流側スライダーＳ１ａ，Ｓ２ａは、開方向に移動することはできないが、下流側スライダーＳ１ｂまたはＳ２ｂと閉方向の側の端縁ｅ１またはｅ２との間では自由に動かすことができる。上流側スライダーＳ１ａが閉方向に移動する場合には、スライダーＳ１ａ，Ｓ２ａの内部で２本に分かれていた務歯の列ＥＬ（図９参照。）がＹ字通路の分岐点でかみ合わせられる。したがって、たとえば図７（３）に示した下流側スライダーＳ１ｂに当接している上流側スライダーＳ１ａを、閉方向に沿って移動させて端縁ｅ１の側の先端部まで戻すと、図７（３）の開口範囲全体を閉じることができる。
【００６２】
上流側スライダーＳ１ａ，Ｓ２ａは、下流側スライダーＳ１ｂ，Ｓ２ｂへの当接位置から務歯の列ＥＬの先端までの範囲で自由に往復動できるので、その移動によって開口範囲を狭める調整を行うことができる。
【００６３】
図８は、開方向に移動させた下流側スライダーＳ１ｂに向かって上流側スライダーＳ１ａを移動させた後に、下流側スライダーＳ１ｂより手前の位置で上流側スライダーＳ１ａを反転させて先端位置に戻した事例を示すものである。この場合には、上流側スライダーＳ１ａの移動方向が切り替えられた位置（図８（２））から上流側スライダーＳ１ａまでの範囲の務歯がかみ合わせられ、開口範囲の両端が閉じた状態になる（図８（３））。
【００６４】
この実施例の連結部材５に導入される３本のファスナーＦ１，Ｆ２，Ｆ３には、いずれも図６〜８に示したファスナー部品Ｆ０が用いられる。衣服１００の構成を示した図１，３，４，５や以下に示す使用状態を示す図では、ファスナーＦ１，Ｆ２，Ｆ３の種類や向きに関係なく、襟ぐりの側または袖口側の端縁から離れる方向を開方向とするスライダーをＳ１ａ，Ｓ１ｂの符号で統一し、裾側の端縁から離れる方向を開方向とするスライダーをＳ２ａ，Ｓ２ｂの符号で統一している。
【００６５】
いずれのファスナーＦ１，Ｆ２，Ｆ３においても、下流側スライダーＳ１ｂ，Ｓ２ｂをそれぞれの上流側の端縁ｅ１，ｅ２から開口が許容できる範囲の終端付近まで動かした後に、上流側スライダーＳ１ａ，Ｓ２ａを下流側スライダーＳ１ｂ，Ｓ２ｂに当接する位置まで動かす方法（図７に示した方法）によって、務歯の列ＥＬの開口範囲を許容範囲までにおさめることができる。
【００６６】
また、この許容範囲内で上流側スライダーＳ１ａ，Ｓ２ａを往復動させて図８（３）の状態にすることによって、端縁を閉じたまま長さ方向の任意の場所を開口することができる。また図８（２）に示した状態でも、端縁ｅ１，ｅ２からの実質的な開口範囲を上流側スライダーＳ１ａ，Ｓ２ａによって規制することができるので、有効に活用することができる。たとえば、下流側スライダーＳ１ｂ，Ｓ２ｂを開口が許容できる範囲を定めるストッパーとして使用し、このストッパーに当接するまでの範囲で上流側スライダーＳ１ａ，Ｓ２ａを自由に動かすことによって、先端からの開口範囲を許容範囲内で調整することができる。
【００６７】
図１２〜１８は、上記のファスナーＦ１，Ｆ２，Ｆ３の特徴を活用して衣服１００の任意の箇所を開放した事例を示すものである。以下、各事例について簡単に説明する。
【００６８】
図１２の例では、着用者の右手側の連結部材５の前身頃用ファスナーＦ１を前身頃１の襟ぐり１０から袖ぐり１２の中間位置までの範囲で開口することにより、着用者の右肩部を露出させている。図１３の例では、図１２の例と同じ側の前身頃用ファスナーＦ１を脇１３の上部に相当する位置まで開口することにより、着用者の左の肩から右脇下に向かう袈裟懸け状に前身頃１を引き下げている。
【００６９】
図１４の例では、左右双方の連結部材５，５の後身頃用ファスナーＦ２，Ｆ２を、後身頃２の襟ぐり２０から脇２３の中間位置までの範囲で開口することにより、後身頃２を首側から背中の中央位置まで引き下げている。
【００７０】
図１５の例では、左右双方の連結部材５，５の前身頃ファスナーＦ１，Ｆ１を両端から開口するが、その開口範囲を襟ぐり１０から袖ぐり１２の中間位置までにとどめ、裾１４の側からの開口範囲を脇１３の中間位置までにとどめ、これらの開口範囲に対応する部分の布を胸の上に重なるように折り曲げている。これにより、着用者の胸の部分を前身頃１により覆ったまま、胸より上の部分と胸より下の部分とを開放することができる。
【００７１】
図１２〜１５の事例は、いずれも、開口しても差し支えがない位置または施術等のために開口する必要がある位置まで下流側スライダーＳ１ｂを移動させた後に、上流側スライダーＳ１ａを下流側スライダーＳ１ｂに当接する位置まで移動させる方法により、身頃１，２の首側の端縁１０，２０からの開放可能範囲を調整したものである。さらに図１５の例では、裾１４の側からの開放についても同様に、下流側スライダーＳ２ｂを開口して差し支えがない位置または開口する必要がある位置まで動かした後にこれに当接するまで上流側スライダーＳ２ａを移動させることにより、開放可能範囲が調整されている。いずれの図でも、上流側スライダーＳ１ａ，Ｓ２ａを下流側スライダーＳ１ｂ，Ｓ２ｂに当接する位置まで動かした状態を示しているが、その当接位置より手前で上流側スライダーＳ１ａ，Ｓ２ａを停止させたり、当接後の上流側スライダーＳ１ａ，Ｓ２ａを閉方向に所定距離だけ移動させる等によっても、開放可能範囲を調整することができる。
【００７２】
このように、下流側スライダーＳ１ｂ，Ｓ２ｂを開方向に移動させて適所に位置決めした後に、上流側スライダーＳ１ａ，Ｓ２ａを下流側スライダーＳ１ｂ，Ｓ２ｂに向けて動かすことによって、襟ぐり１０，２０または裾１４，２４からの開口範囲を下流側スライドファスナーＳ１ｂ，Ｓ２ｂを超えない範囲で所望の広さに調整することができる。
【００７３】
ちなみに、先に掲げた特許文献１，２に記載された発明では、調整された開放範囲を維持するためにロック機能を備えたスライダーが使用されているが、これは、衣服を着用している人（被介護者）によるスライダーの操作等によって開放範囲が変更されることを防ぐことを目的とするものである。本実施例の下流側スライダーＳ１ｂ，Ｓ２ｂは、これらとは性質や使用の目的が全く異なる。
【００７４】
図１４や図１５の例のように、前身頃１または後身頃２が大きく開放されても袖用ファスナーＦ３が閉じていれば、袖３が開放されることはなく、腕を露出させずに胴体の必要箇所のみを露出させることができる。反対に、袖用ファスナーＦ３のみを開口すれば、胴体部分を殆ど露出させずに腕を露出させることができる。
【００７５】
図１６は、左袖側の連結部材５の袖用ファスナーＦ３の分岐部分５３を開口することによって、袖下３１を全開状態にして袖まくりができるようにした事例を示すものである。この場合には、袖用ファスナーＦ３の下流側スライダーＳ１ｂを連結部５０の上端部付近まで移動させた後に上流側スライダーＳ１ａを下流側スライダーＳ１ｂに当接する位置まで移動させる。
【００７６】
袖３の開口範囲も自由に調整することができる。図１６の事例に関しても、たとえばまくりあげる範囲を肘の辺りまでにしたい場合には、下流側スライダーＳ１ｂを袖下３１の長さ中央部で停止させればよい。または、袖下３１を図１６（１）に示したのと同様の全開状態にした後に、脇付近に位置する上流側スライダーＳ１ａを閉方向に沿って肘の付近まで移動させてもよい。
【００７７】
図１７は、左袖側の連結部材５の前身頃ファスナーＦ１および後身頃用ファスナーＦ２に対して図８に示した調整方法を適用することによって、上腕を露出可能にした事例を示すものである。具体的には、左袖側の前身頃用ファスナーＦ１について、襟ぐり側の下流側スライダーＳ１ｂを連結部５０の上端部まで移動させた後に、上流側スライダーＳ１ａを肩１１に対応する範囲で往復動させることにより、前身頃１の肩１１の部分を閉じて袖ぐり１２に沿うラインを開口する。後身頃用ファスナーＦ２についても同じ要領で首側の下流側スライダーＳ１ｂおよび上流側スライダーＳ１ａを動かすことにより、後身頃２の肩２１の部分を閉じて袖ぐり２２に沿うラインを開口する。これらの開口によって、各身頃１，２と袖３との連結が解除され、袖３の上部を変形させやすくなるので、この部分を後方に寄せるなどの方法で上腕の一部を露出させることができる。
この方法によれば、注射など上腕の一部分に対する処置を行う場合に、その処置に関係のない箇所の露出を極力抑えて、対象となる箇所を露出させることができる。
【００７８】
図１８は、腕用ファスナーＦ３に対して図８に示した調整方法を適用することによって、点滴用のチューブ６を挿通させるための穴を形成した例を示す。この場合には、事前に、袖口３０からある程度離れた位置まで下流側スライダーＳ１ｂを移動させることでスライダーＳ１ａ，Ｓ１ｂの間を開口し、その開口部分をめくって下腕の肌の一部を露出させ、その露出部分の適所にチューブ６の先端の注射針（図示せず。）を刺してテープ等で固定する。そして、露出部分に袖３を被せてチューブ６がスライダーＳ１ａとＳａ２との間に挟まれた状態になるように各スライダーＳ１ａ，Ｓ１ｂをチューブ６に近づけてから、上流側スライダーＳ１ａを袖口３０の側に引き戻すことにより、両スライダーＳ１ａ，Ｓ１ｂ間の開口部分をチューブ６が通過する程度の大きさの穴Ｈに形成する。
【００７９】
図１８の穴Ｈは、スライダーにより捕捉されていない上流側の端縁にチューブ６が触れるなどして務歯のかみ合わせが解除され、開口範囲が広がる可能性があるが、その場合にも、上流側スライダーＳ１ａを再び往復動させることにより穴Ｈの広がりを修復することができる。ただし、図１８の例のように袖口３０に比較的近い場所が開口される場合には、図８（２）に示した状態になるように、上流側スライダーＳ１ａを穴Ｈの上流側端縁にとどめてもよい（スライダーＳ１ａから袖口３０までの範囲も開口される。）。
【００８０】
このほかにも、たとえば、骨折して片腕を吊した状態で衣服を着用した場合に、連結部５０の前身頃ファスナーＦ１または袖用ファスナーＦ３の適所を開口することによって、腕が入っていない袖３を開口部から前身頃１の裏側に挿入するなど、目的に応じて様々な場所を開口することができる。
【００８１】
上記各例に示したように、この実施例の衣服１００は、着用者の要望や施術・治療等の目的に応じて、開放される場所や開放範囲の広さを容易に調整することができる。またその調整の範囲の境界を下流側スライダーＳ１ｂ，Ｓ２ｂを移動させるという容易で誰にでも理解できる方法により指定することができるので、調整作業が簡単である。さらに、色分けや引手の形状を変えるなど、下流側スライダーＳ１ｂ，Ｓ２ｂと上流側スライダーＳ１ａ，Ｓ２ａとを区別するための工夫を入れることによって、誤操作を防ぐことができ、着用者や施術者らが開放範囲を容易に確認することができる。
【００８２】
図１９は、上記の衣服１００を介護服または看護用の服として使用する場合の各部材の取り外し方法の一例を示すものである。この例では、前身頃用ファスナーＦ１および後身頃用ファスナーＦ２を、襟ぐり１０，２０から脇１３，２３の中間位置までの範囲で開放することによって、各身頃１，２と袖３，３との連結を解除している（図１９（１）（２））。さらに、図１９（３）に示すように、ファスナーＦ１，Ｆ２を裾の近くまで開口し、袖用ファスナーＦ３も袖口３０の側から裾の近くまで開口すると、二分されたファスナーＦ３やファスナーＦ１，Ｆ２の分岐部分５１，５２を介して袖３と各身頃１，２との連結を維持しつつ、袖３を身頃１，２から大きく離すと共に展開状態にすることができる。前身頃１や後身頃２も、互いが大きく離れるように動かすことができる。
【００８３】
上記の方法によれば、衣服１００の着用者が寝たきりの状態であっても、袖３，３を展開状態にして腕から外した後に、各身頃１，２を利用者の脚の方に降ろして引き抜くことができる。衣服１００を着用させる場合にも、展開状態の衣服を身体に沿わせた後に各ファスナーＦ１，Ｆ２，Ｆ３を閉じてゆくことによって、速やかに装着を完了させることができる。
【００８４】
さらにこの実施例では、図１９（３）に示したように袖用ファスナーＦ３が全開に近い状態になった場合でも、袖用ファスナーＦ３と各身頃用のファスナーＦ１，Ｆ２の対向側テープＴ１Ｂ，Ｔ２Ｂとの連結は維持されており、その連結部分を介して袖３と各身頃１，２との連なりが維持される。よって脱いだ後の衣服１００の身頃１，２や袖３がバラバラに離れて組み合わせを探すのに苦労することもない。
【００８５】
上記の実施例では、連結部材５の３本のファスナーＦ１，Ｆ２，Ｆ３の全てに図６に示したファスナー部品Ｆ０を使用することによって、全てのファスナーＦ１，Ｆ２，Ｆ３を両端から開放できるようにしたが、袖用ファスナーＦ３に取り付けられるスライダーを、袖口３０から離れる方向を開方向とするスライダーＳ１ａ，Ｓ１ｂのみとしてもよい。その場合には、袖用ファスナーＦ３のテープＴ３Ａ，Ｔ３Ｂの一方の裾側の先端部にスライダーＳ１ａ，Ｓ１ｂを支持するための箱を取り付け、他方の裾側の先端部に箱にかみ合わせる蝶棒を取り付けることによって、スライダーＳ１ａ，Ｓ１ｂと一方のテープとの係合を解除できるようにし、それによって各テープＴ３Ａ，Ｔ３Ｂを完全に分離できるようにしてもよい。
【００８６】
連結部材５を構成するファスナーは３本に限らず、身頃用ファスナーを１本にして、これと袖用ファスナーとの２本構成としてもよい。
図２０〜図２２は、前後の身頃の区別がない衣服１００Ａに、袖用ファスナーＦ３と身頃用ファスナーＦ４との２本から成る連結部材５Ａを導入した例を示すものである。以下、この連結部材５Ａを「第２の連結部材５Ａ」と言い、先の実施例の連結部材５を「第１の連結部材５」と言う。
【００８７】
図２０〜図２２では、一対の身頃の一方を４ａとし、他方を４ｂとする。またこれらの身頃４ａ，４ｂについては、襟ぐりを４０ａ，４０ｂとし、肩を４１ａ，４１ｂとし、袖ぐりを４２ａ，４２ｂとし、脇を４３ａ，４３ｂとし、裾を４４ａ，４４ｂとする。袖３および袖用ファスナーＦ３には、先の実施例と同じ符号を適用する。
【００８８】
第２の連結部材５ＡのファスナーＦ３，Ｆ４も、図６に示したファスナー部品Ｆ０によるもので、脇４３ａ，４３ｂに対応する範囲で幅方向に並ぶように連結される。この連結部５５において、身頃用ファスナーＦ４の袖用ファスナーＦ３に連結されていない方のテープＴ４Ａは身頃４ａの脇４３ａに沿う端縁部に固定され、袖用ファスナーＦ３の身頃側ファスナーＦ４に連結されていない方のテープＴ３Ｂは他方の身頃５ｂの脇４３ｂに沿う端縁部に固定される（図２２を参照。）。これらの固定によって、２つの身頃４ａ，４ｂは両脇で開閉可能に連結される。
【００８９】
袖用ファスナーＦ３の分岐部分５３は、第１の連結部材５と同様に、袖３の袖下３１の位置に組み込まれて当該袖下３１を全開可能に支持する（図２２を参照。）。身頃側ファスナーＦ４の分岐部分の対向側テープＴ４Ｂは、その分岐の起点（脇４３ａの上端部）から袖用ファスナーＦ３が組み込まれた袖３の身頃４ａの側に廻されて、袖山３２に沿う端縁部に固定され、さらに袖山３２の頂上位置より先の部分は、身頃側テープＴ４Ａが固定されていない方の身頃４ｂの肩４１ｂに沿う端縁部に固定される（図２１，２２を参照。）。
【００９０】
上記構成の衣服１００Ａによれば、身頃用ファスナーＦ４が取り付けられた身頃４ａを前向きにして着用することによって、身体の前面側に対する開放の範囲を自由に調整することができる。また身頃用ファスナーＦ４が取り付けられた身頃４ａを後向きにして着用すれば、背中側に対する開放の範囲を自由に調整することができる。いずれの着用状態でも、身頃４ａと袖３とをそれぞれ独立に開放することができる。
【００９１】
第３の連結部材として、前身頃用ファスナーと後身頃用ファスナーとの２本による連結部材（第１の連結部材５から袖用ファスナーＦ３を除いたもの）を考えることもできる。図示は省略するが、第３の連結部材でも、各身頃用ファスナーＦ１，Ｆ２の身頃側テープＴ１Ａ，Ｔ２Ａは、各身頃１，２に対し、第１の連結部材５と同様の関係をもって連結される。対向側テープＴ１Ｂ，Ｔ２Ｂも、肩１１，２１および袖３の袖山３２に対しては、第１実施例と同様の関係をもって連結されると共に、脇１３，２３に対応する範囲において、幅方向に並べられた状態で直接に連結される。ただし、肩や脇の範囲では、身頃側テープＴ１Ｂ，Ｔ２Ｂの間に所定幅のマチ布を挿入し、このマチ布を介して両テープＴ１Ｂ，Ｔ２Ｂを連結してもよい。
【００９２】
第３の連結部材が導入される衣服では、袖の両端縁３１ａ，３１ｂ（図２参照）が直接に縫い合わせられることによって袖下３１が形成されるので、袖下３１を開放することはできない。しかし、前身頃用ファスナーＦ１または後身頃用ファスナーＦ２を襟ぐり１０，２０の側から所望の範囲まで開放することによって、身頃１または２を袖３から離して開放することができる。また、各ファスナーＦ１，Ｆ２を襟ぐり１０，２０から裾１４，２４に近い位置まで開放することによって、身頃１，２を互いに大きく離すことや、袖３を身頃１，２から大きく離すことが可能になり、衣服の脱着作業を容易に行うことができる。
【００９３】
以下、第１の連結部材５を再び対象として、一部の構成の変形や付加について説明する。ただし、いずれも第１の連結部材５に限らず、第２および第３の連結部材にも適用可能なものである。
【００９４】
まず連結部材５に導入されるファスナーは、図６に示した構成のものに限らない。たとえば、脇用ファスナーＦ３のスライダーの組をＳ１ａおよびＳ１ｂの一組にしても良いことは先に述べたが、身頃用のファスナーＦ１，Ｆ２のスライダーの組も同様に、襟ぐり１０，２０から離れる方向を開方向とするスライダーＳ１ａ，Ｓ１ｂによる一組にしてもよい。その場合には、スライダーＳ１ａ，Ｓ１ｂと一方のテープとの係合を裾１４，２４の側の先端部で解除できる構成にしてもよい。
【００９５】
また、図６に示したファスナー部品Ｆ０の各端縁ｅ１，ｅ２と務歯の列ＥＬとの間に若干のマージンを設けることにより、そのマージンを各スライダーを引っ張る際の「持ち手」として利用できるようにしてもよい。または、「持ち手」となる布片等をファスナー部品Ｆ０の両端に連結してもよい。
【００９６】
身頃用ファスナーＦ１，Ｆ２は対応する身頃１，２の端縁に連結される場合に限らず、いずれか一方の身頃用ファスナーを対応する身頃の表面の端縁よりも内側に縫い合わせ、その縫い合わせのラインより外側の布が当て布として連結部材５の裏側に配置されるようにしてもよい。
【００９７】
各ファスナーＦ１，Ｆ２，Ｆ３として、一対のスライダーが相手に近づく方向が開方向となるように配置された構成のファスナー（図１０を参照。）を使用してもよい。この場合にも、裾１４，２４の側の先端部でスライダーと一方のテープとの係合を解除できる構成のファスナーを使用することによって、前身頃１と後身頃２とを完全に分離できるようにしてもよい。
【００９８】
または、襟ぐり１０，２０または袖口３０から離れる方向を開方向とすることを条件に、各ファスナーＦ１，Ｆ２，Ｆ３のスライダーの個数を１個のみとしてもよい。ただしスライダーが１個の場合には、開口範囲が不用意に広がらないように、ロック機構を有するスライダーを使用するのが望ましい。
【００９９】
連結部材５は縫い合わせ等の方法で身頃１，２や袖３から容易に外れないように連結されると説明したが、これに限らず、面ファスナーやボタン等を介して身頃１，２や袖３に取り付けてもよい。そうすれば、適宜、連結部材５を取り外すことによって、身頃１，２や袖３を含む全ての部材がバラバラになるので、いずれかの部材が傷んだときにその傷んだ部材のみを交換したり、複数の衣服に共通の連結部材５を使用することが可能になる。
【０１００】
＜第２タイプの衣服＞
第２タイプの衣服も、複数本のスライドファスナーを介して各身頃同士や左右の袖と身頃とを連結させた構成のものであるが、各ファスナーは第１タイプのように一体化されておらず、身頃や袖毎に独立に設けられる。
【０１０１】
図２３〜２６は、第２タイプの代表例となる衣服２００の構成を示すものである。これらの図では、前身頃の符号を１０１とし、後身頃の符号を１０２とし、左右の袖の符号を１０３とする。また、各身頃１０１，１０２や袖１０３に含まれる各要素のうち、図１〜５に示した第１実施例と同じ要素を、第１実施例の対応する要素に付けた符号の左に１を加えた１００番台の数字により示す。
【０１０２】
この実施例の袖１０３は、肩に被さるように、袖山のラインを襟ぐりから脇の上端部までの範囲に斜めに延ばした形態の袖（いわゆるラグラン袖と呼ばれるもの）である。これを受けて、前身頃１０１および後身頃１０２は肩ラインのない輪郭形状、すなわち襟ぐり１１０，１２０から袖ぐり１１２，１２２および脇１１３，１２３を介して裾１１４，１２４に至る輪郭形状になっている。前身頃１０１の両側縁部には前身頃用ファスナーＦ１１が設けられ、後身頃１０２の両側縁部には後身頃用ファスナーＦ１２が設けられる。また各袖１０３には、袖下１３１を開閉可能に支持すると共に袖下１３１から脇の方へと延び出る袖用ファスナーＦ１３が組み込まれる。
【０１０３】
なお、この実施例の身頃用ファスナーＦ１１，Ｆ１２および袖用ファスナーＦ１３は、先の図１０に示したタイプ、すなわち一対のスライダーＳ１，Ｓ２が相手に近づく方向を開方向とする向きに取り付けられた「尻合わせ」タイプのスライドファスナーである。
【０１０４】
各袖１０３，１０３にはそれぞれ脇の方へと延び出る短冊状のマチ部１３６が一体に連らねられている（図２４を参照。）。このマチ部１３６は、袖本体の前面側に連なる前方部１３６ａと袖本体の背面側に連なる後方部１３６ｂとを、袖用ファスナーＦ１３の袖下１３１から延出した部分を介して連結して成るものである。図２４に示すように、袖用ファスナーＦ１３は、袖１０３の本体およびマチ部１３６の幅中央部にまっすぐ延びており、この袖用ファスナーＦ１３が閉じられることによって袖１０３が筒状になると共に、マチ部１３６の前方部１３６ａと後方部１３６ｂとが一体化されて袖１０３にぶらさがる状態になる。
【０１０５】
各身頃用ファスナーＦ１１，Ｆ１２の一方のテープ（身頃側テープ）ｔ１ａ，ｔ２ａは、対応する身頃１０１，１０２の両側縁部に合わせられて当該身頃１０１，１０２に固定される。前身頃用ファスナーＦ１１の前身頃１０１に連結されない方のテープ（対向側テープ）ｔ１ｂは、左隣または右隣の袖１０３の袖山１３２の前面側のライン１３２ａおよびマチ部１３６の前方部１３６ａの前端縁に合わせられて、これらの付近に固定される。後身頃用ファスナーＦ１２の対向側テープｔ２ｂは、左隣または右隣の袖１０３の袖山１３２の背面側のライン１３２ｂおよびマチ部１３６の後方部１３６ｂの後端縁に合わせられて、これらの付近に固定される。これらの固定によって、左右の袖１０３，１０３が前後の身頃１０１，１０２に連結されると共に、各身頃１０１，１０２の脇１１３，１２３がマチ部１３６を間に挟んで相互に連結された状態になる。
【０１０６】
ちなみに、この実施例の各身頃１０１，１０２の襟ぐり１１０，１２０ならびに裾１１４，１２４、袖１０３の袖口１３０、マチ部１３６の下端部１３７ａ，１３７ｂは、いずれも帯状テープ７にくるまれて保護され、これらの帯状テープ７にくるまれた範囲に各スライドファスナーＦ１１，Ｆ１２，Ｆ１３の各テープの端部が縫い込まれている（図２３，２４を参照。）。またこの実施例では、着心地を良くするために、各身頃用ファスナーＦ１１，Ｆ１２や袖用ファスナーＦ１３の裏側に、帯状の当て布８が取り付けられている（図２５を参照。）。
【０１０７】
上記の連結構造によって、この実施例でも、前身頃用ファスナーＦ１１，後身頃用ファスナーＦ１２のスライダーＳ１，Ｓ２を任意の位置に動かすことで、対応する身頃１０１，１０２を襟ぐり１１０，１２０の側の端縁または裾１１４，１２４の側の端縁から所望の位置まで開放することができる。マチ部１３６を含む袖１０３も、袖用ファスナーＦ１３のスライダーＳ１，Ｓ２を任意の位置に動かすことによって、袖口１３０の側の端縁または裾の側の端縁から所望の位置まで開放することができる。
【０１０８】
また各身頃用ファスナーＦ１１，Ｆ１２を襟ぐり１１０，１２０の側の端縁から脇１１３，１２３の適所まで開くことによって、各身頃１０１，１０２と袖１０３の本体部分との連結を外すことができる。さらに、袖用ファスナーＦ１３も袖口１３０の側の端縁からマチ部１３６の適所まで開くことによって、袖１０３を図２６に示すような展開状態にすることができるので、着用者の腕への袖１０３の脱着を容易に行うことができる。
【０１０９】
以下、第２タイプについて考えられる変形例を説明する。
まず上記の実施例では、マチ部１３６の前方部１３６ａおよび後方部１３６ｂを、それぞれの下端部１３７ａ，１３７ｂが各身頃１０１，１０２の裾１１４，１２４の位置に揃う長さに設定したが、必ずしもその必要はない。その点の変形例を図２７および図２８に示す。
【０１１０】
図２７の例は、前方部１３６ａの下端部１３７ａを身頃１０１，１０２の裾１１４，１２４より高い位置に設定し、前方部１３６ａの下に出た袖用ファスナーＦ１３の前身頃側のテープｔ３ａと前身頃用ファスナーＦ１１の対向側テープｔ１ｂとを直接に連結したものである。勿論、この例とは逆に後方部１３６ｂの下端部１３７ｂを身頃１０１，１０２の裾１１４，１２４より高い位置に設定し、その下方で袖用ファスナーＦ１３のテープｔ３ｂと後身頃用ファスナーＦ１２のテープｔ２ｂとを直接に連結してもよい。
【０１１１】
図２８の例は、前方部１３６ａおよび後方部１３６ｂの双方の下端部１３７ａ，１３７ｂを身頃１０１，１０２の裾１１４，１２４より高い位置に設定し、これらの下に出た袖用ファスナーＦ１３の各テープｔ３ａ，ｔ３ｂを、それぞれに対する身頃用ファスナーＦ１１，Ｆ１２の対向側テープｔ１ｂ，ｔ２ｂに直接に連結したものである。
【０１１２】
図２７および図２８の例の衣服は、いずれも図示した範囲（脇のほぼ下半分）以外の構成は、図２３〜２６に示した構成と同様である。これらの変形例では、裾に近い範囲で両脇を幅中央部側に寄せることによって裾の広がりを抑えることができるので、着用したときの見栄えが良くなる。
【０１１３】
マチ部１３６を身頃１０１，１０２の裾１１４，１２４の付近まで延ばし、その全長が各身頃用ファスナーＦ１１，Ｆ１２を介して前後の身頃１０１，１０２に連結される場合には、袖用ファスナーＦ１３の延出部分の長さを脇の中間位置までとし、それより下の前方部１３６ａと後方部１３６ｂを縫い合わせて一体化してもよい。また、袖１０３を展開状態にすることはできなくなるが、袖１０３に袖用ファスナーＦ１３を設けずに、袖下１３１の各端縁１３１ａ，１３１ｂを縫い合わせ、この袖１０３およびマチ部１３６を身頃用ファスナーＦ１１，Ｆ１２を介して各身頃１０１，１０２に連結してもよい。
【０１１４】
第２タイプの衣服２００でも、袖用ファスナーＦ１３のテープｔ３ａ，ｔ３ｂの一方の裾側の先端部にスライダーＳ１，Ｓ２を支持するための箱を取り付け、他方の裾側の先端部に箱にかみ合わせる蝶棒を取り付けることによって、スライダーＳ１，Ｓ２と一方のテープとの係合を解除できるようにし、それによって各テープｔ３ａ，ｔ３ｂを完全に分離してもよい。
【０１１５】
各身頃用ファスナーＦ１１，Ｆ１２、袖用ファスナーＦ１３としては、上記の実施例の尻合わせファスナーに代えて、第１タイプにおいて詳述した４個のスライダーを有するタイプのスライドファスナー（図６参照。）を使用してもよい。または、スライダーが１つのみのスライドファスナーを身頃用ファスナーＦ１１，Ｆ１２，袖用ファスナーＦ１３として、その開方向を襟ぐりまたは袖口から離れる方向に合わせて取り付けてもよい。
【０１１６】
左右の袖１０３，１０３の形態は必ずしもラグラン袖に限らず、第１実施例と同様の構成（肩に対応する範囲より下に配置される形態）、または肩のラインの中間地点から身頃１０１，１０２に連なる形態の袖にしてもよい。その場合の前身頃用ファスナーＦ１１および後身頃用ファスナーＦ１２の対向側テープｔ１ｂ，ｔ２ｂは、襟ぐり１１０，１２０から袖１０３に連結する位置までの範囲では互いに直接または所定幅のマチ部を挟んで連結され、袖に対応する範囲では同じ側にある袖１０３の袖山に沿う端縁部に連結され、脇の範囲ではマチ部１３６の端縁部に連結されることになる。
【０１１７】
第２タイプにおいても、第１タイプの図２１および図２２に示した実施例と同様に、前後の身頃のいずれか一方のみに身頃用ファスナーを設け、身頃用ファスナーが設けられていない側の身頃を袖１０３やマチ部１３６に直接に連結してもよい。
【０１１８】
さらに第２タイプにおいては、各身頃１０１，１０２と袖１０３およびマチ部１３６との連結手段として、スライドファスナーに代えて一対の係合部材より成る留め具（スナップ，面ファスナーなど）を使用することもできる。たとえば、袖１０３をラグラン袖にした衣服２００であれば、前身頃１０１および後身頃１０２の表面の両側縁部に沿って雌スナップを複数個取り付け、これらに連結可能な位置関係をもたせて、袖１０３およびマチ部１３６の前後の端縁部の裏面に雄スナップを複数個取り付けることによって、袖１０３およびマチ部１３６を各身頃１０１，１０２に着脱可能に装着すると共に、各身頃１０１，１０２をマチ部１３６を介して着脱可能に連結することができる。
【０１１９】
袖１０３の袖下１３１の各端縁部１３１ａ，１３１ｂの連結やマチ部１３６の前方部１３６ａと後方部１３６ｂとの連結についても、同様に、袖用ファスナーＦ１３に代えて、スナップや面ファスナーなどの留め具を使用することができる。また袖１０３をラグラン袖以外の形態にする場合には、上記の連結に加えて、各身頃１０１，１０２の襟ぐり１１０，１２０から袖１０３に連結する位置までの範囲もスナップ等の連結部材で相互に連結することができる。
【０１２０】
＜第１タイプ・第２タイプに共通する事項＞
第１タイプ、第２タイプのいずれの衣服も、襟ぐりや袖口から任意の位置までを開放することが可能であると共に、袖に影響を与えることなく身頃のみを開放することができるので、鍼灸やマッサージ等の施術を行う現場や治療の現場において、処置に必要でない箇所まで開放されることを防ぐことができる。また、脇まで延び出る袖用ファスナーが配備された衣服では、身頃から切り離された袖を展開状態として、腕に対して容易に脱着させることができるので、介護用の服として使用する場合、従来の同種の衣服よりも利便性を大幅に高めることができる。
【０１２１】
前身頃または後身頃が幅中央部で開口された衣服では、その開口部を止めるボタンやファスナー類が横臥している着用者の身体を圧迫して、着用者にストレスを感じさせるおそれがある。しかし、上述した各タイプの衣服によれば、身頃の幅中央部を開口する必要がなくなるので、そのような心配も無用にできる。
【０１２２】
なお、介護用の衣服で、衣服を脱がせたり着せたりする作業の利便が確保できれば足りるという場合には、前身頃用ファスナーおよび後身頃用ファスナーのスライダーを１個のみとして、その開方向を裾から離れる方向に合わせて各身頃に装着してもよい。袖用ファスナーも同様に、スライダー１個のみとして、その開方向を裾から離れる方向に合わせて袖に装着してもよい。
【符号の説明】
【０１２３】
１００，１００Ａ，２００  衣服
１，１０１  前身頃
２，１０２  後身頃
３，１０３  袖
４ａ，４ｂ  前後の区別がない身頃
５，５Ａ  連結部材
５０，５５  連結部
５１，５２，５３  分岐部分
Ｆ０  ファスナー部品
Ｆ１，Ｆ１１  前身頃用ファスナー
Ｆ２，Ｆ１２  後身頃用ファスナー
Ｆ３，Ｆ１３  袖用ファスナー
Ｆ４  身頃用ファスナー
Ｔ１Ａ，Ｔ２Ａ，Ｔ４Ａ，ｔ１ａ  身頃側テープ
Ｔ１Ｂ，Ｔ２Ｂ，Ｔ４Ｂ，ｔ２ｂ  対向側テープ
Ｔ３Ａ      前身頃側のテープ
Ｔ３Ｂ      後身頃側のテープ
Ｓ１ａ，Ｓ２ａ  上流側スライダー
Ｓ１ｂ、Ｓ２ｂ  下流側スライダー
Ｓ１，Ｓ２  尻合わせファスナーのスライダー
【図１】
2018178350.tif 000003
【図２】
2018178350.tif 000004
【図３】
2018178350.tif 000005
【図４】
2018178350.tif 000006
【図５】
2018178350.tif 000007
【図６】
2018178350.tif 000008
【図７】
2018178350.tif 000009
【図８】
2018178350.tif 000010
【図９】
2018178350.tif 000011
【図１０】
2018178350.tif 000012
【図１１】
2018178350.tif 000013
【図１２】
2018178350.tif 000014
【図１３】
2018178350.tif 000015
【図１４】
2018178350.tif 000016
【図１５】
2018178350.tif 000017
【図１６】
2018178350.tif 000018
【図１７】
2018178350.tif 000019
【図１８】
2018178350.tif 000020
【図１９】
2018178350.tif 000021
【図２０】
2018178350.tif 000022
【図２１】
2018178350.tif 000023
【図２２】
2018178350.tif 000024
【図２３】
2018178350.tif 000025
【図２４】
2018178350.tif 000026
【図２５】
2018178350.tif 000027
【図２６】
2018178350.tif 000028
【図２７】
2018178350.tif 000029
【図２８】
2018178350.tif 000030